(57)【要約】【課題】  突発的に音量が上がる音を録音した場合でも、音の途中でゲイン（音量）を下げない録音装置及び撮像装置を提供する。【解決手段】録音装置１１０が、入射光を測光し、当該測光の結果に応じた測光信号を出力する測光回路１１４と、音を収音し、当該音に応じた音信号を出力するマイク１１１と、音信号を増幅するアンプ１１２と、測光信号に基づいて、アンプ１１２で音信号を増幅する際のゲインを設定するＡＧＣ１１６及びＣＰＵ１１５と、増幅された音信号を録音するＣＰＵ１１５を備える。【選択図】図１
2012120049.tif 000002
【特許請求の範囲】
【請求項１】
入射光を測光し、当該測光の結果に応じた測光信号を出力する測光部と、
音を収音し、当該音に応じた音信号を出力する収音部と、
前記音信号を増幅する増幅部と、
前記測光信号に基づいて、前記増幅部で前記音信号を増幅する際のゲインを設定するゲイン設定部と、
前記増幅された音信号を録音する録音部と、
を備えることを特徴とする録音装置。
【請求項２】
請求項１に記載の録音装置において、
前記測光部は、前記入射光の光量に応じて前記測光信号を出力することを特徴とする録音装置。
【請求項３】
請求項２に記載の録音装置において、
前記測光部は、前記入射光の赤外線の波長域の光量に応じて前記測光信号を出力することを特徴とする録音装置。
【請求項４】
請求項２又は請求項３に記載の録音装置において、
前記ゲイン設定部は、前記測光信号により示される前記光量の変化率に応じて前記ゲインを設定することを特徴とする録音装置。
【請求項５】
請求項４に記載の録音装置において、
前記ゲイン設定部は、前記光量の変化率が予め定められた閾値以上である場合に、前記ゲインを再設定することを特徴とする録音装置。
【請求項６】
請求項２又は請求項３に記載の録音装置において、
前記ゲイン設定部は、前記光量が予め定められた閾値以上である状態が予め定められた時間以上継続した場合に、前記ゲインを再設定することを特徴とする録音装置。
【請求項７】
請求項１に記載の録音装置において、
前記測光部は、前記入射光の色に応じて前記測光信号を出力することを特徴とする録音装置。
【請求項８】
請求項７に記載の録音装置において、
前記ゲイン設定部は、前記色の変化率に応じて前記ゲインを設定することを特徴とする録音装置。
【請求項９】
請求項８に記載の録音装置において、
前記ゲイン設定部は、前記色の変化率が予め定められた閾値以上である場合に、前記ゲインを再設定することを特徴とする録音装置。
【請求項１０】
請求項７に記載の録音装置において、
前記ゲイン設定部は、前記色が予め定められた色である状態が予め定められた時間以上継続した場合に、前記ゲインを再設定することを特徴とする録音装置。
【請求項１１】
請求項１から請求項１０のいずれか１つに記載の録音装置において、
前記ゲイン設定部は、前記音信号に含まれる周波数成分のうち、予め定められた周波数成分に対する前記ゲインを他の周波数成分に対するゲインと異ならせるように設定することを特徴とする録音装置。
【請求項１２】
請求項１から請求項１１のいずれか１つに記載の録音装置において、
前記ゲイン設定部は、前記ゲインを設定した後に、前記音信号の値が予め定められた閾値以下である状態が予め定められた時間以上継続した場合には、設定された前記ゲインを設定前の値に戻すことを特徴とする録音装置。
【請求項１３】
請求項１から請求項１２のいずれか１つに記載の録音装置と、
光学系からの前記入射光に基づいた像を撮像する撮像素子と、
を備えることを特徴とする撮像装置。
【請求項１４】
請求項１３に記載の撮像装置において、
前記測光部は、前記光学系からの前記入射光に基づいて前記測光信号を出力することを特徴とする撮像装置。
【請求項１５】
請求項１３に記載の撮像装置において、
前記撮像素子は、前記測光部を備えることを特徴とする撮像装置。
【発明の詳細な説明】
【技術分野】
【０００１】
本発明は、マイクのゲインを設定する録音装置及び撮像装置に関する。
【背景技術】
【０００２】
従来の録音装置は、収音した音の音量が予め定められた音量より大きい場合にはアンプのゲインを下げて音量を調節し、一方、予め定められた音量より小さい場合にはアンプのゲインを上げて音量を調節していた（特許文献１参照）。
【先行技術文献】
【特許文献】
【０００３】
【特許文献１】特開２００２−１９９２７２号公報
【発明の概要】
【発明が解決しようとする課題】
【０００４】
しかしながら、従来の録音装置は、突発的に音量が上がる音を収音した後に、ゲインを下げて音量を調節していたため、音の途中で音量が下がり、不自然な音が録音されてしまうという問題があった。例えば、録音装置が打ち上げ花火の爆発音を録音した場合、録音装置は、爆発音の途中から音量を下げていたため、不自然な爆発音が録音されてしまうという問題があった。
【０００５】
本発明は、前記の点に鑑みてなされたものであり、突発的に音量が上がる音を録音した場合でも、音の途中でゲイン（音量）を下げない録音装置及び撮像装置を提供することを目的とする。
【課題を解決するための手段】
【０００６】
本発明は、上記の課題を解決するためになされたものであり、入射光を測光し、当該測光の結果に応じた測光信号を出力する測光部と、音を収音し、当該音に応じた音信号を出力する収音部と、前記音信号を増幅する増幅部と、前記測光信号に基づいて、前記増幅部で前記音信号を増幅する際のゲインを設定するゲイン設定部と、前記増幅された音信号を録音する録音部と、を備えることを特徴とする録音装置である。
【発明の効果】
【０００７】
本発明によれば、録音装置は、録音対象の音に関連した入射光に応じて、突発的に音量が上がる音が収音される前に、アンプのゲインを設定する。これにより、録音装置は、突発的に音量が上がる音を録音した場合でも、音の途中でゲイン（音量）を下げることがない。
【図面の簡単な説明】
【０００８】
【図１】本発明の第１の実施形態における録音装置１１０と撮像装置１００の構成を示すブロック図である。
【図２】本発明の第１の実施形態における測光回路１１４の出力の例と、アンプ１１２の出力の例と、アンプ１１２のゲインの例を示す図である。
【図３】本発明の第１の実施形態における「増幅された音信号（アンプ１１２の出力）」の波形と、従来の録音装置における「増幅された音信号（アンプの出力）」の波形の例を示す図である。
【図４】本発明の第１の実施形態における録音装置１１０の動作を示すシーケンス図である。
【図５】本発明の第２の実施形態における測光回路１１４の出力の例と、アンプ１１２の出力の例と、アンプ１１２のゲインの例を示す図である。
【発明を実施するための形態】
【０００９】
[第１の実施形態]
本発明の第１の実施形態について図面を参照して詳細に説明する。図１は、本発明の第１の実施形態における録音装置１１０と撮像装置１００の構成を示すブロック図である。
【００１０】
撮像装置１００は、被写体（不図示）を撮像し、その画像データを記録媒体２００に記憶させる。また、撮像装置１００が備える録音装置１１０は、音を収音し、さらにその音データを記録媒体２００に記憶させる。
【００１１】
記録媒体２００は、撮像装置１００が出力した画像データ及び音データを記憶する。また、記録媒体２００は、撮像装置１００の制御に応じて、撮像装置１００に画像データ及び音データを出力する。なお、記録媒体２００は、撮像装置１００と一体であってもよい。
【００１２】
次に、撮像装置１００の構成を説明する。
撮像装置１００は、録音装置１１０と、操作部１２０と、光学系１２１と、撮像素子１２２と、ＡＤＣ１２３と、バッファメモリ１２４と、画像処理部１２６と、メモリ１２５と、インタフェース部１２７を備える。
【００１３】
光学系１２１は、入射光を透過させ、撮像素子１２２の撮像面に光学像を結像させる。なお、光学系１２１は、例えばレンズとレンズ駆動モータとを備え、撮像装置２００に着脱可能であってもよい。
【００１４】
録音装置１１０は、マイク１１１と、アンプ１１２と、ＡＤＣ（Ａｎａｌｏｇ ｔｏ Ｄｉｇｉｔａｌ Ｃｏｎｖｅｒｔｅｒ）１１３と、測光回路１１４と、ＣＰＵ（Ｃｅｎｔｒａｌ Ｐｒｏｃｅｓｓｉｎｇ Ｕｎｉｔ）１１５と、ＡＧＣ（Ａｕｔｏｍａｔｉｃ Ｇａｉｎ Ｃｏｎｔｒｏｌ）１１６を備える。
【００１５】
マイク１１１は、音を収音し、その音に応じた音信号を出力する。アンプ１１２は、ＣＰＵ１１５からＡＧＣ１１６を介して設定されたゲインで、マイク１１１から取得した音信号を増幅する。ＡＤＣ１１３は、アンプ１１２によって増幅された音信号（アナログ）を、音データ（デジタル）にアナログデジタル変換し、変換後の音データをバッファメモリ１２４に記憶させる。
【００１６】
測光回路１１４は、光学系１２１を介して入射光を受光する。測光回路１１４は、受光した光量に応じた信号を、測光信号としてＣＰＵ１１５に出力する。ここで、入射光は、マイク１１１に収音される音に関連した入射光であるものとする。例えば、発音と同時に発光した打ち上げ花火からの入射光であってもよく、花火の音がマイク１１１に収音される前に、花火からの入射光が測光回路１１４に受光されるものとする。なお、測光回路１１４は、測光センサを備えていてもよい。また、測光信号は、デジタル信号であってもよい。
【００１７】
メモリ１２５は、後述する「予め定められた閾値」と、後述する「期間を示す値データ」を記憶し、ＣＰＵ１１５の制御に応じて、これらをＣＰＵ１１５に出力する。
【００１８】
操作部１２０は、ユーザの操作入力を検出し、その検出結果に応じた操作入力信号をＣＰＵ１１５に出力する。操作部１２０は、例えばシャッタボタンを有していてもよい。
【００１９】
ＣＰＵ１１５は、予め定められたゲインをアンプ１１２にＡＧＣ１１６を介して設定する。また、ＣＰＵ１１５は、操作入力信号が入力された場合に、バッファメモリ１２４に記憶された音データを取得し、予め定められた音声処理を施して、インタフェース部１２７を介して記録媒体２００に記憶させる。なお、ＣＰＵ１１５は、画像処理部１２６を制御することにより、バッファメモリ１２５に記憶された画像データを、画像処理部１２６に画像処理させてもよい。
【００２０】
また、ＣＰＵ１１５は、測光回路１１４から取得した測光信号と、メモリ１２５から取得した「予め定められた閾値Ａ」とに基づいて、アンプ１１２のゲインを決定する。さらに、ＣＰＵ１１５は、決定したゲインをアンプ１１２にＡＧＣ１１６を介して再設定する。ここで、ＣＰＵ１１５は、予め定められた値をゲインに加算又は減算することで、ゲインを再設定（変更）してもよい。なお、ゲインには、最小値があってもよい。
【００２１】
さらに、ＣＰＵ１１５は、バッファメモリ１２４から取得した「増幅された音信号」と、メモリ１２５から取得した「予め定められた閾値Ｂ」とに基づいて、アンプ１１２のゲインを決定する。そして、ＣＰＵ１１５は、決定したゲインをアンプ１１２にＡＧＣ１１６を介して再設定する。ＣＰＵ１１５のこれらのゲイン設定動作については、図２を用いて後述する。
【００２２】
ＣＰＵ１１５は、操作入力信号が再び入力された場合、予め定められた音声処理の実行を終了する。なお、ＣＰＵ１１５は、操作入力信号が再び入力された場合、画像処理の実行を終了させるため、画像処理部１２６を制御してもよい。
【００２３】
ＡＧＣ１１６は、ＣＰＵ１１５の制御に応じて、アンプ１１２にゲインを設定する。以下、入射光が受光されてから、アンプ１１２にゲインが設定されるまでのゲイン設定動作は、短時間で設定が完了するものとする。すなわち、ゲイン設定動作は、短時間で設定が完了するので、マイク１１１に音が収音される時刻に、ゲインの設定が間に合うものとする。
【００２４】
撮像素子１２２は、撮像素子１２２の撮像面に結像された光学像を電気信号（アナログ）に変換して、ＡＤＣ１２３に出力する。
【００２５】
ＡＤＣ１２３は、撮像素子１２２から取得した電気信号をアナログデジタル変換し、画像データとしてバッファメモリ１２４に記憶させる。
【００２６】
バッファメモリ１２４は、録音装置１１０のＡＤＣ１１３が出力した音データを一時的に記憶し、ＣＰＵ１１５の制御に応じてＣＰＵ１１５に出力する。また、バッファメモリ１２４は、ＡＤＣ１２３が出力した画像データを一時的に記憶し、画像処理部１２６の制御に応じて画像処理部１２６に出力する。
【００２７】
画像処理部１２６は、ＣＰＵ１１５の制御に応じて、バッファメモリ１２４に記憶された画像データを取得し、予め定められた画像処理を施して、記録媒体２００にインタフェース部１２７を介して記憶させる。なお、画像処理部１２６が記録媒体２００に記憶させる画像データは、静止画データ又は動画データのいずれであってもよい。
【００２８】
インタフェース部１２７は、ＣＰＵ１１５の制御に応じて、音データを記録媒体２００に記憶させる。また、インタフェース部１２７は、ＣＰＵ１１５の制御に応じて、画像処理部１２６から入力された画像データを記録媒体２００に記憶させる。
【００２９】
次に、図２を用いて、ＣＰＵ１１５のゲイン設定動作を説明する。
図２の上段には、測光回路１１４の出力（測光信号）の例が示され、中段にはアンプ１１２の出力（増幅された音信号）の例が示され、下段には、アンプ１１２のゲインの例が示されている。また、それぞれの横軸は、時刻を示す。以下、一例として、録音装置１１０は、打ち上げ花火（光源及び音源）の音を録音するものとして説明する。
【００３０】
まず、時刻ｔ０より前において、アンプ１１２には、予め定められたゲインが設定されているものとする。また、ＣＰＵ１１５は、時刻ｔ０より前から、バッファメモリ１２４に記憶された音データを取得し、予め定められた音声処理を施して、記録媒体２００に記憶させる処理を実行しているものとする。
【００３１】
次に、打ち上げ花火が発光及び発音し、時刻ｔ０において、打ち上げ花火からの入射光が測光回路１１４に受光されたとする。これにより、測光回路１１４は、その光量に応じた信号を測光信号としてＣＰＵ１１５に出力する。
【００３２】
次に、ＣＰＵ１１５は、測光回路１１４から取得した測光信号と、メモリ１２５から取得した「予め定められた閾値Ａ」とを比較する。さらに、時刻ｔ１において、測光回路１１４の出力（測光信号）が「予め定められた閾値Ａ」以上になったとする。これにより、ＣＰＵ１１５は、アンプ１１２のゲインを下げることを決定し、決定したゲインをアンプ１１２に再設定するようＡＧＣ１１６を制御する。
【００３３】
そして、ＡＧＣ１１６は、ＣＰＵ１１５の制御に応じて、アンプ１１２にゲインを再設定する（時刻ｔ２）。これにより、アンプ１１２は、再設定されたゲイン（ＣＰＵ１１５が下げたゲイン）で音信号を増幅し、ＡＤＣ１１３に出力する。また、ＡＤＣ１１３は、アンプ１１２の出力（増幅された音信号）をアナログデジタル変換し、バッファメモリ１２４に記憶させる。また、ＣＰＵ１１５は、再設定されたゲインで増幅された音信号をバッファメモリ１２４から取得し、予め定められた音声処理を施して、記録媒体２００に記憶させる。
【００３４】
さらに、ＣＰＵ１１５は、増幅された音信号と、メモリ１２５から取得した「予め定められた閾値Ｂ」とに基づいて、アンプ１１２のゲインを決定し、決定したゲインをアンプ１１２にＡＧＣ１１６を介して再設定する。例えば、時刻ｔ３において、花火の音量が充分に下がった状態（アンプ１１２の出力が閾値Ｂ以下）になったとする。これにより、ＣＰＵ１１５は、アンプ１１２のゲインを上げる（例えば、設定前の値に戻す）ことを決定し、決定したゲインをアンプ１１２に再設定するようＡＧＣ１１６を制御する。
【００３５】
そして、ＡＧＣ１１６は、ＣＰＵ１１５の制御に応じて、アンプ１１２にゲインを再設定する（時刻ｔ４）。時刻ｔ４以降、アンプ１１２は、再設定されたゲインで音信号を増幅する。
【００３６】
また、ＣＰＵ１１５は、次のようにすれば、アンプ１１２の出力が「予め定められた閾値Ｂ」以上になることなく、「予め定められた閾値Ｂ」未満の状態が続いた場合でも、タイムアウトして、アンプ１１２のゲインを再び上げる（例えば、設定前の値に戻す）ことができる。
【００３７】
まず、時刻ｔ５より前において、アンプ１１２には、予め定められたゲインが設定されているものとする。次に、打ち上げ花火が発光及び発音したことで、時刻ｔ５において、花火からの入射光が測光回路１１４に受光されたとする。これにより、測光回路１１４は、その光量に応じた信号を測光信号としてＣＰＵ１１５に出力する。
【００３８】
次に、ＣＰＵ１１５は、測光回路１１４から取得した測光信号と、メモリ１２５から取得した「予め定められた閾値Ａ」とを比較する。時刻ｔ６において、測光回路１１４の出力（測光信号）が「予め定められた閾値Ａ」以上になったとする。これにより、ＣＰＵ１１５は、アンプ１１２のゲインを下げることを決定し、決定したゲインをアンプ１１２に再設定するようＡＧＣ１１６を制御する。
【００３９】
さらに、ＣＰＵ１１５は、期間を示す値データＴＡ２０をメモリ１２５から取得する。ここで、期間を示す値データＴＡ２０とは、ゲインを上げる時刻、すなわちタイムアウトする時刻を定めるための値データである。ＣＰＵ１１５は、値データＴＡ２０が示す期間が経過したか否かについて判定を開始する。
【００４０】
時刻ｔ７において、ＡＧＣ１１６は、ＣＰＵ１１５の制御に応じて、アンプ１１２にゲインを再設定する。これにより、アンプ１１２は、再設定されたゲイン（ＣＰＵ１１５が下げたゲイン）で音信号を増幅し、ＡＤＣ１１３に出力する。また、ＡＤＣ１１３は、アンプ１１２の出力（増幅された音信号）をアナログデジタル変換し、バッファメモリ１２４に記憶させる。また、ＣＰＵ１１５は、再設定されたゲインで増幅された音信号をバッファメモリ１２４から取得し、予め定められた音声処理を施して、記録媒体２００に記憶させる。
【００４１】
次に、時刻ｔ８において、アンプ１１２の出力が「予め定められた閾値Ｂ」未満（以下）のまま、値データＴＡ２０が示す期間が経過したとする。これにより、ＣＰＵ１１５は、アンプ１１２のゲインを上げる（例えば、設定前の値に戻す）ことを決定し、決定したゲインをアンプ１１２に再設定するようＡＧＣ１１６を制御する。
【００４２】
そして、ＧＣ１１６は、ＣＰＵ１１５の制御に応じて、アンプ１１２にゲインを再設定する（時刻ｔ９）。時刻ｔ９以降、アンプ１１２は、再設定されたゲインで音信号を増幅する。
【００４３】
このようにして録音された、「増幅された音信号（アンプ１１２の出力）」の波形と、従来の録音装置における「増幅された音信号（アンプの出力）」の波形とを比較するため、それぞれの出力波形の例を、図３に示す。
【００４４】
図３（Ａ）には、従来の録音装置における「増幅された音信号（アンプの出力）」の波形の例が示されている。一方、図３（Ｂ）には、第１の実施形態における「増幅された音信号（アンプ１１２の出力）」の波形の例が示されている。ここで、図３（Ａ）及び（Ｂ）に示された波形「増幅された音信号３００」は、ゲインが再設定（変更）されなかった場合の出力波形の例を示す。また、期間Ｔ３０は、入射光が受光され、アンプ１１２にゲインが設定されるまでの期間を示す。
【００４５】
図３（Ａ）において、時刻ｔ１０に、打ち上げ花火が発光及び発音したとする。さらに、時刻ｔ１２に、アンプの出力が「予め定められた閾値Ｃ」以上になったとする。これにより、従来の録音装置のＣＰＵ（不図示）は、アンプ（不図示）のゲインを下げることを決定し、決定したゲインをアンプ１１２に再設定するようＡＧＣ（不図示）を制御する。
【００４６】
したがって、音の途中であるにもかかわらず、時刻ｔ１２から期間Ｔ３０が経過した時点で、従来の録音装置のＣＰＵによって、ゲインが再設定（変更）される。このため、増幅された音信号４００は、音の途中で音量が下げられた波形となってしまう。
【００４７】
一方、図３（Ｂ）において、時刻ｔ１０に、打ち上げ花火が発光及び発音したとする。さらに、時刻ｔ１１において、測光回路１１４の出力（測光信号）（図３に不図示）が「予め定められた閾値Ａ」以上になったとする。これにより、ＣＰＵ１１５は、アンプ１１２のゲインを下げることを決定し、決定したゲインをアンプ１１２に再設定するようＡＧＣ１１６を制御する。
【００４８】
そして、時刻ｔ１１から期間Ｔ３０が経過した時点で、音が収音される前に、ＣＰＵ１１５によって、ゲインが再設定（変更）される。さらに、アンプ１１２は、マイク１１１が出力した音信号を、設定されたゲインで増幅して出力する。したがって、増幅された音信号５００は、音の途中で音量が下げられた波形とならない。
【００４９】
次に、図４を用いて、録音装置１１０の動作を説明する。
まず、アンプ１１２には、予め定められたゲインが設定されているものとする。また、ＣＰＵ１１５は、バッファメモリ１２４に記憶された音データを取得し、予め定められた音声処理を施して、記録媒体２００（図４に不図示）に記憶させる処理を実行しているものとする。
【００５０】
次に、光源が発光したことで、測光回路１１４は、光源からの入射光を受光したとする（ステップＳ１）。また、音源も発音したものとする。ただし、この音は、まだマイク１１１に収音されていないものとする（ステップＳ２）。
【００５１】
次に、測光回路１１４は、入射光の光量に応じた信号を測光信号としてＣＰＵ１１５に出力する（ステップＳ３）。
【００５２】
次に、測光信号が「予め定められた閾値Ａ」以上になったとする。ＣＰＵ１１５は、アンプ１１２のゲインを下げることを決定し、決定したゲインをアンプ１１２に再設定するようＡＧＣ１１６を制御する（ステップＳ４）。ＡＧＣ１１６は、ＣＰＵ１１５の制御に応じて、アンプ１１２にゲインを再設定する（ステップＳ５）。
【００５３】
次に、音源からの音が、マイク１１１に収音されたとする（ステップＳ６）。マイク１１１は、その音に応じた音信号をアンプ１１２に出力する（ステップＳ７）。これにより、アンプ１１２は、再設定されたゲイン（ＣＰＵ１１５が下げたゲイン）で音信号を増幅し、ＡＤＣ１１３に出力する（ステップＳ８）。
【００５４】
ＡＤＣ１１３は、アンプ１１２によって増幅された音信号をアナログデジタル変換し、バッファメモリ１２４に音データを出力する。ＣＰＵ１１５は、バッファメモリ１２４から音データを取得し、予め定められた音声処理を施して、記録媒体２００にインタフェース部１２７を介して記憶させる（ステップＳ９）。
【００５５】
次に、音源の音量が充分に下がった状態（例えば、図２の「閾値Ｂ」以下）になったとする。これにより、ＣＰＵ１１５は、アンプ１１２のゲインを上げることを決定し、決定したゲインをアンプ１１２に再設定するようＡＧＣ１１６を制御する（ステップＳ１０）。
【００５６】
ＡＧＣ１１６は、ＣＰＵ１１５の制御に応じて、アンプ１１２にゲインを再設定する。以降、アンプ１１２は、ゲインを上げるよう再設定されたゲインで、音信号を増幅する（ステップＳ１１）。
【００５７】
このようにすれば、録音装置は、突発的に音量が上がる音を録音した場合でも、音の途中で音量（ゲイン）を下げることがない。
【００５８】
例えば、走行している列車の中で、録音装置が録音している場合、列車がトンネルに入るとレール走行音が反響し、突発的に音量が上がることがある。このような場合でも、録音装置は、突発的に音量が上がった反響音の途中でゲイン（音量）を下げないので、不自然な反響音が録音されない。
【００５９】
なお、音源が発音するのは、ステップＳ５より後であってもよい。
【００６０】
[第２の実施形態]
本発明の第２の実施形態について図面を参照して詳細に説明する。入射光の光量は、増加した直後にすぐ減少する場合がある。このような場合には、アンプ１１２のゲインを再設定（変更）しないようにしてもよい。
【００６１】
第２の実施形態では、測光回路１１４の出力が「予め定められた閾値」以上である状態が、予め定められた時間以上継続した場合に、ＣＰＵ１１５がゲインを再設定する（下げる）点が、第１の実施形態とは異なる。さらに、測光回路１１４の出力が「予め定められた閾値」未満（以下）である状態が、予め定められた時間以上継続した場合に、ＣＰＵ１１５がゲインを再設定する（上げる）点も、第１の実施形態とは異なる。以下、第１の実施形態との相違点のみ説明する。
【００６２】
まず、図５を用いて、ＣＰＵ１１５のゲイン設定動作を説明する。
図５の上段には、測光回路１１４の出力（測光信号）の例が示され、中段にはアンプ１１２の出力（増幅された音信号）の例が示され、下段には、アンプ１１２のゲインの例が示されている。また、それぞれの横軸は、時刻を示す。
【００６３】
時刻ｔ２０より前において、アンプ１１２には、予め定められたゲインが設定されているものとする。次に、時刻ｔ２０において、測光回路１１４の出力（測光信号）が「予め定められた閾値Ａ」以上になったとする。これにより、ＣＰＵ１１５は、予め定められた値データＴＡ６０が示す期間が、時刻ｔ２０から経過したか否かについて、判定を開始する。ここで、期間を示す値データＴＡ６０とは、継続時間を判定するための閾値である。
【００６４】
また、測光回路１１４の出力が「予め定められた閾値Ａ」以上となっている期間は、ＣＰＵ１１５によって計測され、時刻ｔ２０から始まり、期間Ｔ４０だけ継続したとする。この期間Ｔ４０は、値データＴＡ６０が示す期間よりも短い期間であったものとする。このため、ＣＰＵ１１５は、アンプ１１２のゲインをまだ再設定（変更）しないと決定する。
【００６５】
次に、時刻ｔ２１においても、測光回路１１４の出力（測光信号）が「予め定められた閾値Ａ」以上になったとする。これにより、ＣＰＵ１１５は、予め定められた値データＴＡ６０が示す期間が、時刻ｔ２１から経過したか否かについて、判定を開始する。
【００６６】
また、測光回路１１４の出力が「予め定められた閾値Ａ」以上となっている期間は、ＣＰＵ１１５によって計測され、時刻ｔ２１から始まり、期間Ｔ５０だけ継続したとする。この期間Ｔ５０は、値データＴＡ６０が示す期間よりも短い期間であったものとする。このため、ＣＰＵ１１５は、アンプ１１２のゲインをまだ再設定（変更）しないと決定する。
【００６７】
さらに、時刻ｔ２２において、測光回路１１４の出力が「予め定められた閾値Ａ」以上になったとする。これにより、ＣＰＵ１１５は、予め定められた値データＴＡ６０が示す期間が、時刻ｔ２２から経過したか否かについて、判定を開始する。
【００６８】
次に、測光回路１１４の出力が「予め定められた閾値Ａ」以上である状態が、予め定められた値データＴＡ６０が示す期間だけ継続したとする（時刻ｔ２３）。このため、ＣＰＵ１１５は、アンプ１１２のゲインを下げることを決定し、決定したゲインをアンプ１１２に再設定するようＡＧＣ１１６を制御する。
【００６９】
そして、アンプ１１２にゲインが再設定されたとする（時刻ｔ２４）。これにより、時刻ｔ２４以降、アンプ１１２は、ＡＧＣ１１６から再設定されたゲインで音信号を増幅し、ＡＤＣ１１３に出力する。
【００７０】
次に、時刻ｔ２５において、測光回路１１４の出力が「予め定められた閾値Ｄ」未満（以下）になったとする。これにより、ＣＰＵ１１５は、予め定められた値データＴＡ７０が示す期間が、時刻ｔ２５から経過したか否かについて、判定を開始する。
【００７１】
次に、測光回路１１４の出力が「予め定められた閾値Ｄ」未満（以下）である状態が、予め定められた値データＴＡ７０が示す期間だけ継続したとする（時刻ｔ２６）。このため、ＣＰＵ１１５は、アンプ１１２のゲインを上げる（例えば、設定前の値に戻す）ことを決定し、決定したゲインをアンプ１１２に再設定するようＡＧＣ１１６を制御する。
【００７２】
そして、アンプ１１２にゲインが再設定されたとする（時刻ｔ２７）。これにより、時刻ｔ２７以降、アンプ１１２は、ＡＧＣ１１６から再設定されたゲインで音信号を増幅し、ＡＤＣ１１３に出力する。
【００７３】
このようにすれば、録音装置は、入射光の光量が増加した直後にすぐ減少する場合には、アンプ１１２のゲインを再設定（変更）せず、その光量が増加又は減少した状態が、予め定められた時間以上、継続した場合に、ゲインを再設定することができる。さらに、録音装置は、突発的に音量が上がる音を録音した場合でも、音の途中で音量（ゲイン）を下げることがない。
【００７４】
以上、この発明の実施形態について図面を参照して詳述してきたが、具体的な構成はこの実施形態に限られるものではなく、この発明の要旨を逸脱しない範囲の設計等も含まれる。
【００７５】
例えば、測光回路１１４は、入射光の色に応じて測光信号を出力し、ＣＰＵ１１５は、その測光信号に基づいてＡＧＣ１１６にゲインを再設定してもよい。また、ＣＰＵ１１５は、入射光の色の変化率に応じてＡＧＣ１１６にゲインを再設定してもよい。また、ＣＰＵ１１５は、入射光の色の変化率が予め定められた閾値以上である場合に、ＡＧＣ１１６にゲインを再設定してもよい。また、ＣＰＵ１１５は、入射光の色が予め定められた色である状態が予め定められた時間以上、継続した場合に、ＡＧＣ１１６にゲインを再設定してもよい。
【００７６】
このようにすれば、撮像装置１００は、例えば車両信号機の色が青に変わったことを検出してゲインを設定することにより、その後に車両の走行音が収音される前に、ゲインを下げておくことができる。なお、撮像装置１００は、監視カメラとして用いられてもよい。
【００７７】
また例えば、測光回路１１４は、入射光の赤外線の波長域の光量に応じて測光信号を出力してもよい。
【００７８】
また例えば、測光回路１１４は、光学系１２１を介さずに入射光を受光してもよい。
【００７９】
また例えば、ＣＰＵ１１５は、マイク１１１が収音して出力した音信号の周波数のうち、予め定められた周波数成分に対するゲインを、他の周波数成分に対するゲインと異ならせるようにＡＧＣ１１６に設定してもよい。
【００８０】
また例えば、測光回路１１４は、撮像素子１２２に設けられてもよい。
【００８１】
また例えば、録音装置１１０は、音声処理部（不図示）を備え、ＣＰＵ１１５の代わりに、その音声処理部が音声処理を実行してもよい。
【００８２】
また例えば、録音装置１１０は、測光信号に基づいてゲインを設定するか否かについて、録音装置１１０の動作をユーザが切り替えることができるようにしてもよい。
【００８３】
また例えば、ＣＰＵ１１５は、画像処理部１２６が被写体（光源）を画像認識した結果に応じて、ＡＧＣ１１６にゲインを設定してもよい。
【００８４】
また例えば、ＣＰＵ１１５は、音声処理した音データのみを記録媒体２００に記録してもよい。この場合、ＣＰＵ１１５は、画像処理部１２６に画像処理をさせなくてもよい。
【００８５】
また例えば、アンプ１１２のゲインは、予め定められたゲインがＣＰＵ１１５によって設定されなくても、その初期値が定まっているものとしてもよい。
【符号の説明】
【００８６】
１００…撮像装置  １１０…録音装置  １１１…マイク  １１２…アンプ  １１４…測光回路  １１５…ＣＰＵ  １１６…ＡＧＣ
【図１】
2012120049.tif 000003
【図２】
2012120049.tif 000004
【図３】
2012120049.tif 000005
【図４】
2012120049.tif 000006
【図５】
2012120049.tif 000007